(57)【要約】  可撓性チューブと、それらの軸の周りを自由に回転し、半径方向のセグメント（１５）に沿って自由に動く一連のローラ（１１）を含む実質的に円柱状の回転ローラユニット（８，１１）と、通常はローラ（１１）を保持する保持手段（８）と、可撓性チューブに対してローラ（１１）を押すための中央スプレッダー要素と、駆動カップリング要素（１）を有する駆動ユニット（１，２）と、を備えた蠕動ポンプシステムにおいて、保持手段（８）は、ローラ（１１）を保持し案内する手段を有する少なくとも一つの平面要素（８）で作られ、平面要素（８）は、ローラ（１１）が平面要素（８）によって駆動される方法で、カップリング要素（１，２）に直接に結合されるようになっていることを特徴とする蠕動ポンプシステム。
2007535637.tif 000002
【特許請求の範囲】
【請求項１】
可撓性チューブと、それらの軸周りを自由に回転し、半径方向のセグメント（１５）に沿って自由に動く一連のローラ（１１）を含む実質的に円柱状の回転ローラユニット（８，１１）と、通常は前記ローラ（１１）を保持する保持手段（８）と、前記可撓性チューブに対して前記ローラ（１１）を押すための中央スプレッダー要素と、駆動カップリング要素（１）を有する駆動ユニット（１，２）と、を備えた蠕動ポンプシステムにおいて、
前記保持手段（８）は、前記ローラ（１１）を保持し案内する手段を有する少なくとも一つの平面要素（８）で作られ、該平面要素（８）は、前記ローラ（１１）が前記平面要素（８）によって駆動される方法で、前記カップリング要素（１，２）に直接に結合されるようになっていることを特徴とする蠕動ポンプシステム。
【請求項２】
前記保持手段は二つの平行な平面要素（８）で作られ、前記ローラ（１１）は前記平面要素（８）の間に配置されている請求項１に記載の蠕動ポンプシステム。
【請求項３】
前記スプレッダー要素（５）は前記駆動軸（１）の先端に自由に取り付けられている請求項１又は２に記載の蠕動ポンプシステム。
【請求項４】
前記駆動カップリング要素は、下部によって前記平面要素に結合されるようになっている前記中央スプレッダー要素の回りに直接的に固定されている請求項１〜３の何れか１項に記載の蠕動ポンプシステム。
【請求項５】
前記駆動カップリング要素は、該駆動カップリング要素の自己調心を許容するようになっている調心手段を備えている請求項４に記載の蠕動ポンプシステム。
【請求項６】
前記平面手段（８）は、前記ローラユニット（８，１１）の回転軸に関して同軸である円に沿って配置された一連の孔（１３）を含み、前記駆動ユニット（１，２）は、前記孔（１３）の一つに受承されるようになっている少なくとも一つのピン（３）を含み、前記ピン（３）と前記孔（１３）のコンビネーションが前記駆動ユニット（１，２）に対する前記平面要素（８）の固定を許容する請求項１〜５の何れか１項に記載の蠕動ポンプシステム。
【請求項７】
前記孔（１３）が前記円に沿って隣接し、両者が接近したときに、前記駆動ユニット（１，２）に対する前記平面要素（８）の固定（自動位置決め）を許容する請求項６に記載の蠕動ポンプシステム。
【請求項８】
前記駆動カップリング要素（１，２）が、前記平板（８）の回りに直接的に固定されている請求項１〜３の何れか１項に記載の蠕動ポンプシステム。
【請求項９】
前記中心軸が取り出されたとき、前記可撓性チューブに対して前記ローラを保持するようになっているクリック手段を備えた請求項１〜８の何れか１項に記載の蠕動ポンプシステム。
【発明の詳細な説明】
【技術分野】
【０００１】
本発明は、可撓性チューブと、ぜん動法で可撓性チューブを圧縮するために適用された一連のローラと、駆動ユニットと、可撓性チューブを受承するための好ましくは円柱状の導水路を有するハウジングと、を備えた蠕動ポンプに関する。
【背景技術】
【０００２】
この種の蠕動ポンプユニットは、例えば、米国特許番号第５０４４９０２号に開示されている。このユニットは、ローラと直接に接触する中心軸の使用を開示する。シャフトは、二つの機能、つまり、使用中にローラを駆動する機能と、シャフトがシステムに挿入されたときにそれらを可撓性チューブに向かって押す機能を有している。しかしながら、このユニットはいくつかの不利益を示す。例えば、隣接するローラの反対方向の回転のためにブロックを急速かつ連続的に摩耗させる。
【発明の開示】
【発明が解決しようとする課題】
【０００３】
本発明の一つの目的は、上記のタイプの蠕動ポンプシステムであって、シンプルで堅固な構成をなし、長期間に亘り効率的な揚水を許容する蠕動ポンプシステムを提供することである。
【課題を解決するための手段】
【０００４】
本発明による蠕動ポンプシステムは、可撓性チューブと、それらの軸周りを自由に回転し、半径方向のセグメントに沿って自由に動く一連のローラを含む実質的に円柱状の回転ローラユニットと、通常はローラを保持する保持手段と、可撓性チューブに対してローラを押すための中央スプレッダー要素と、駆動カップリング要素を有する駆動ユニットと、を備え、前記保持手段は、ローラの半径方向セグメントに沿って保持し案内する手段を有する少なくとも一つの平面要素で作られ、該平面要素は、ローラが該平面要素によって駆動される方法で、前記カップリング要素に直接に結合されるようになっている。
【０００５】
ローラユニット及びハウジングが、駆動ユニットから分離されているとき、ローラは、静止時のチューブの圧力の下で中心まで戻り、このチューブが開いたままで、容易かつ完全な殺菌を可能にする。
【０００６】
ハウジングは、好ましくは可撓性チューブに内蔵されている凹状断面を有する内部溝を有している。一方、ローラは、外面的に、可撓性チューブに寄り掛かるために、ハウジングの溝の凹曲線と結合する凸曲線を有するバレル形状である。凹型の内部プロファイルを有するハウジングは、チューブとローラの自己調心を許容する。
【０００７】
チューブ状のローラは、一般に、軟質プラスチック材料で作られている。それらの形状は、前述した形状に制限されない。それらは円柱状又は円錐状であるかもしれない。それらは、蠕動ポンプシステムの弾性機能を改善するための可撓性材料であるかもしれない。
【０００８】
駆動ユニットは、好ましくは、ローラユニットの平面要素内の孔と協働するようになっているピンを有するサポートを含む駆動軸を備えている。
【０００９】
好ましくは、スプレッダーは、使用中にローラとの如何なる摩擦も回避するために、駆動軸の延長部に緩く取り付けられている。
【００１０】
さらに、本発明は、上述した構成に加えて、添付される図面を参照して説明される特別な実施形態に関して、以下におけるより明確に説明されるいくつかの他の構成を含む。しかしながら、本発明は、如何なる制限もされない。
【発明を実施するための最良の形態】
【００１１】
図面を参照すると、図３で示される蠕動ポンプシステムは、可撓性チューブ（図示せず）を受けると共に、ポンプのボディを形成するための導水路１０を有するハウジング９を備えている。チューブは、電気モータ（図示しない）によって駆動される駆動軸１に固定されたサポート２と協働することができるハウジング壁とローラユニット８，１１の間に介入されている。
【００１２】
図３及び５は、駆動軸１がローラユニット８，１１を貫通しない非動作位置を表している。
【００１３】
ローラユニット８，１１は、二つの分離ディスク８の間で保持された３つのローラ１１で作られている。ローラ１１は、通常は、分離ディスク８に対して、軸端を介して保持され、かつガイドされている。少なくとも一つの分離ディスク８は、駆動サポート２のピン３を受承するようになっている複数の受承手段１３を含んでいる。
【００１４】
駆動軸先端は、駆動サポートから延長し、駆動軸１の回りを自由に回転するシース５に覆われている。シース５は、軸先端がローラユニット８，１１を貫通するとき、可撓性チューブに対してローラ１１を押すスプレッダーとして機能するために十分に大きい寸法である（図４及び６）。
【００１５】
ハウジング９とローラユニット８，１１は、駆動ユニット１，２から分割して格納されているとき、ローラ１１は、図１に示されるように、静止時に、チューブの圧力下で中心に戻る。このチューブは、往復サポートの垂直位置にあるローラの安定まで開いたままである。これは、チューブが圧縮条件下で貯蔵される場合に生じる貯蔵中にチューブの壁の塑性変形を回避することを許容する。これによって、使用中に蠕動性能の変化を生じる（特に、流速及び精度に関して）。
【００１６】
チューブは、カートリッジのカバーと一体化されたサポートカラーの圧力下、正確なリセスへクランプされるために予測された二つの溶接されたストップリングによって、適所に保持されることができる。
【００１７】
連続して製造されたとき、このチューブは、カートリッジに非常に早く取り付けられる。
【００１８】
蠕動ポンプユニットは以下のように動作する。
ハウジング９とローラユニット８，１１は、駆動ユニット１，２上へ配置される（図４及び６参照）。この移動によって、中心軸の先端は、シース５と共にチューブに対してローラ１１を押し、ピン３がディスク８の受承手段１３に係合する。受承手段のピン３のカップリングは、円錐端を有するピンを受承手段にガイドするために、外周におけるテーパで互いに接近する受承手段を有することによって自動位置合わせされることができる。
【００１９】
代替的に、カップリングは、ディスク８上に配置されているピンと駆動ユニット２上で配置されている受承手段によって得られることができる。
【００２０】
ポンプ作用は、ディスク８及びローラ１１を駆動するモータが回転を始めるときに得られる。
【００２１】
代替的に、ディスク８の駆動は、平面ディスクの外周とカップリングする歯車によって得られることができる。
【００２２】
ローラユニット８，１１とハウジング９が、駆動ユニット１，２から分離されるとき、ローラ１１は、チューブが開いたままになっている静止中に、チューブの圧力下で中心に戻る。
【００２３】
他の実施形態（図示せず）において、それらが、可撓性チューブに対して中心軸及びシース５によって押されると、ローラは中心位置に戻ることができない。この場合、中心軸が一旦動かされると、蠕動システムは使用後の自由流れを防止するように閉塞する。これは、例えば、分離ディスクの半径方向セグメント１５上でのローラ軸端の位置で、分離ディスク上の排他的位置１４を有することによって得られる。その結果、ローラ軸端は、中心軸が挿入されたとき、そのようなクリック１４を通過しなければならない。しかし、その後、中心軸が移動したとき、元に戻ることはできない。
【００２４】
代替的に、これは、軸が動いた後、ローラユニット８，９の内側に残っているシース５を有することによって得られることもできる。
【図面の簡単な説明】
【００２５】
【図１】本発明によるローラユニットの斜視図である。
【図２】図１のローラユニットの部分の拡大図である。
【図３】ローラユニット、ハウジング、駆動軸、スプレッダーを含む本発明による蠕動ポンプユニットを示す斜視図である。
【図４】スプレッダーを含む図１のローラユニットを示す斜視図である。
【図５】非動作位置でスプレッダー軸を有するローラユニットの長手方向の断面図である。
【図６】動作位置でスプレッダー軸を有するローラユニットの長手方向の断面図である。
【図７】ディスク部分の拡大図である。
【符号の説明】
【００２６】
１    駆動軸
２    駆動サポート
３    ピン
５    シース
８    ハウジング壁
９    ハウジング
１０    導水路
１１    ローラ
１３    受承手段
１４    クリック（爪）
【図１】
2007535637.tif 000003
【図２】
2007535637.tif 000004
【図３】
2007535637.tif 000005
【図４】
2007535637.tif 000006
【図５】
2007535637.tif 000007
【図６】
2007535637.tif 000008
【図７】
2007535637.tif 000009
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
可撓性チューブと、それらの軸（７）周りを自由に回転し、半径方向のセグメント（１５）に沿って自由に動く一連のローラ（１１）を含む実質的に円柱状の回転ローラユニット（８，１１）と、通常は前記ローラ（１１）を保持する保持手段（８）と、前記可撓性チューブに対して前記ローラ（１１）を押すための中央スプレッダー要素と、駆動カップリング要素（１）を有する駆動ユニット（１，２）と、を備えた蠕動ポンプシステムにおいて、
前記ローラ（１１）のそれぞれが、二つの軸端（１２）を有する軸（７）と側壁（１１）とを備えた一つの部品で作られ、前記保持手段（８）は、前記軸端（１２）を保持し案内する手段を有する少なくとも一つの平面要素（８）で作られ、該平面要素（８）は、前記ローラ（１１）が前記軸端（１２）及び前記平面要素（８）によって駆動される方法で、前記カップリング要素（１，２）に直接に結合されるようになっていることを特徴とする蠕動ポンプシステム。
【請求項２】
前記保持手段は二つの平行な平面要素（８）で作られ、前記ローラ（１１）は前記平面要素（８）の間に配置されている請求項１に記載の蠕動ポンプシステム。
【請求項３】
前記スプレッダー要素（５）は前記駆動軸（１）の先端に自由に取り付けられている請求項１又は２に記載の蠕動ポンプシステム。
【請求項４】
前記駆動カップリング要素は、下部によって前記平面要素に結合されるようになっている前記中央スプレッダー要素の回りに直接的に固定されている請求項１〜３の何れか１項に記載の蠕動ポンプシステム。
【請求項５】
前記駆動カップリング要素は、該駆動カップリング要素の自己調心を許容するようになっている調心手段を備えている請求項４に記載の蠕動ポンプシステム。
【請求項６】
前記平面手段（８）は、前記ローラユニット（８，１１）の回転軸に関して同軸である円に沿って配置された一連の孔（１３）を含み、前記駆動ユニット（１，２）は、前記孔（１３）の一つに受承されるようになっている少なくとも一つのピン（３）を含み、前記ピン（３）と前記孔（１３）のコンビネーションが前記駆動ユニット（１，２）に対する前記平面要素（８）の固定を許容する請求項１〜５の何れか１項に記載の蠕動ポンプシステム。
【請求項７】
前記孔（１３）が前記円に沿って隣接し、両者が接近したときに、前記駆動ユニット（１，２）に対する前記平面要素（８）の固定を許容する請求項６に記載の蠕動ポンプシステム。
【請求項８】
前記駆動カップリング要素（１，２）が、前記平板（８）の回りに直接的に固定されている請求項１〜３の何れか１項に記載の蠕動ポンプシステム。
【請求項９】
前記中心軸が取り出されたとき、前記可撓性チューブに対して前記ローラを保持するようになっているクリック手段を備えた請求項１〜８の何れか１項に記載の蠕動ポンプシステム。
【国際調査報告】
2007535637.tif 000010
2007535637.tif 000011